(57)【要約】【課題】  本発明は、メモリカードに対する挿抜時の操作性を犠牲にすることなく当該メモリカードのデータ破壊を防止できるようにする。【解決手段】  本発明は、撮像データを記録するための光ディスク１０とは別に設けられた着脱自在なメモリカード１１を装着するための装着部にメモリカード１１が装着されたか否かを判定し、メモリカード１１が装着されたことを検出したときでかつ、当該メモリカード１１に対して所定の処理を実行する必要性が生じたときのみマウント処理を行い、所定の処理を実行する必要性が無くなったときにはメモリカード１１に対して直ちにアンマウント処理を行うことにより、所定の処理を実行する必要性が生じていない間にはアンマウント状態を維持することができるため、その間であればユーザの不用意なメモリカード１１に対する取り外しが行われた場合でも当該メモリカード１１のデータ破壊を防止することができる。【選択図】        図４
2006303633.tif 000002
【特許請求の範囲】
【請求項１】
撮像データを記録するための記録媒体とは別に設けられた着脱自在なデータ記憶媒体を装着するための装着部と、
上記装着部に上記データ記憶媒体が装着されている状態で、当該データ記憶媒体に対して所定の処理を実行する必要性が生じたときのみ上記データ記憶媒体に対してマウント処理を行い、上記必要性が無くなったときには上記データ記憶媒体に対してアンマウント処理を行う制御部と
を具えることを特徴とするビデオカメラ。
【請求項２】
上記制御部は、上記所定の処理として、上記データ記憶媒体が上記装着部に装着されたことを検出した時点で当該データ記憶媒体に記憶されているデータを読み出す
ことを特徴とする請求項１に記載のビデオカメラ。
【請求項３】
上記制御部は、上記所定の処理として、上記撮像データに基づいて生成された参照用ビデオ信号を上記データ記憶媒体に対して記憶させる
ことを特徴とする請求項１に記載のビデオカメラ。
【請求項４】
上記制御部は、上記装着部を介して装着された上記データ記憶媒体に格納されている上記撮像データに関する編集内容情報を読み出し、当該編集内容情報に従って上記撮像データを基に実行した編集結果を出力する
ことを特徴とする請求項１に記載のビデオカメラ。
【請求項５】
撮像データを記録するための記録媒体とは別に設けられた着脱自在なデータ記憶媒体を装着するための装着部に上記データ記憶媒体が装着されたか否かを判定する挿抜判定ステップと、
上記データ記憶媒体が装着されたことを検出したときでかつ、当該データ記憶媒体に対して所定の処理を実行する必要性が生じたときのみマウント処理を行うマウント処理ステップと、
上記所定の処理を実行する必要性が無くなったときには上記データ記憶媒体に対して直ちにアンマウント処理を行うアンマウント処理ステップと
を具えることを特徴とするマウント制御方法。
【発明の詳細な説明】
【技術分野】
【０００１】
本発明は、ビデオカメラ及びマウント制御方法に関し、例えば放送局用のビデオカメラ（以下、これをカムコーダと呼ぶ）に適用して好適なものである。
【背景技術】
【０００２】
近年、放送局用のカムコーダにおいては、記録媒体としてランダムアクセス可能なＤＶＤ(Digital Versatile Disc)等の光ディスクが用いられており、ＣＣＤ(Charge Coupled Device)カメラによって撮像された素材映像でなる本線映像データ等を当該光ディスクに記録するようになされている。
【０００３】
このときカムコーダは、ＣＣＤカメラによって撮影された本線映像データに加えて、当該本線映像データに対応したオーディオ信号、当該本線映像データに基づいて生成した参照用の代表画ビデオデータ（以下、これをプロキシー画像データと呼ぶ）、撮影日時や機器情報及び撮影条件等のいわゆるメタデータを光ディスクに対して同時に記録するようになされている。
【０００４】
また、この種のカムコーダでは、例えば撮影時における色合わせ等を厳密に行う必要性があることから、メモリカードに格納された色合わせ等に関する各種の設定情報をメモリカード用アダプタを介して当該メモリカードから取り込み、当該設定情報に従って撮影時における色合わせ等を調整するようになされている（例えば、特許文献１参照）。
【０００５】
このようにカムコーダにおいては、メモリカードを介して設定情報を取り込むようになされているが、その際に、メモリカード用アダプタを介してメモリカードが挿入されるだけの簡単な操作でカメラ本体の装着部に装着され、その逆に当該メモリカードがメモリカード用アダプタから抜き取られるだけでカメラ本体の装着部から簡単に取り外されるようになされており、メモリカードに対する挿抜時の利便性向上が図られている。
【特許文献１】特開2003-204527公報
【発明の開示】
【発明が解決しようとする課題】
【０００６】
ところでかかる構成のカムコーダにおいては、メモリカードがカメラ本体の装着部に装着されたときに、当該カメラ本体に対してメモリカードを新たなデバイスとして操作可能な状態に認識させる、いわゆるマウント処理を実行するようになされているが、カメラ本体からのメモリカードの挿抜が簡易であるため、メモリカードがマウントされている最中にユーザの不用意な操作によって取り外された場合には、当該メモリカードのデータ内容が破壊されるという問題があった。
【０００７】
本発明は以上の点を考慮してなされたもので、データ記憶媒体に対する挿抜時の操作性を犠牲にすることなく当該データ記憶媒体のデータ破壊を防止し得るビデオカメラ及びマウント制御方法を提案しようとするものである。
【課題を解決するための手段】
【０００８】
かかる課題を解決するため本発明においては、撮像データを記録するための記録媒体とは別に設けられた着脱自在なデータ記憶媒体を装着するための装着部にデータ記憶媒体が装着されたか否かを判定し、データ記憶媒体が装着されたことを検出したときでかつ、当該データ記憶媒体に対して所定の処理を実行する必要性が生じたときのみマウント処理を行い、所定の処理を実行する必要性が無くなったときにはデータ記憶媒体に対して直ちにアンマウント処理を行うようにする。
【０００９】
これにより、所定の処理を実行する必要性が生じている間だけデータ記憶媒体に対するマウント状態を維持し、当該データ記憶媒体が装着されている間であっても、所定の処理を実行する必要性が生じていない間にはアンマウント状態を維持することができるため、その間であればユーザの不用意なデータ記憶媒体に対する取り外しが行われた場合でも当該データ記憶媒体のデータ破壊を防止することができる。
【発明の効果】
【００１０】
本発明によれば、所定の処理を実行する必要性が生じている間だけメモリカードに対するマウント状態を維持し、当該メモリカードが装着されている間であっても、所定の処理を実行する必要性が生じていない間にはアンマウント状態を維持することができるため、その間であればユーザの不用意なメモリカードに対する取り外しが行われた場合でも当該メモリカードの破壊を防止し、かつメモリカードに格納されているデータの信頼性を向上させることができ、かくしてメモリカードに対する挿抜時の操作性を犠牲にすることなく当該メモリカードのデータ破壊を防止し得るビデオカメラ及びマウント制御方法を実現することができる。
【発明を実施するための最良の形態】
【００１１】
以下、図面について、本発明の一実施の形態を詳述する。
【００１２】
（１）ディスクカムコーダの全体構成
図１において、１は全体としてディスク状記録媒体を用いた本発明のディスクカムコーダの全体構成を示し、バッテリ５から供給される電力によりカメラ本体４、ＣＣＤカメラ２及びマイクロホン３を駆動させ、そのＣＣＤカメラ２によって撮影された映像素材の本線映像データやマイクロホン３によって集音されたオーディオデータを本線系の記録媒体である着脱自在なＤＶＤ等の光ディスク１０に記録するようになされている。
【００１３】
またディスクカムコーダ１は、メモリースティック（ソニー株式会社の登録商標）等でなるメモリカード１１をマルチＰＣ(Personal Computer)カードアダプタ１２を介してカムコーダ用アダプタ１３に装填し、このカムコーダ用アダプタ１３をカメラ本体４の所定位置に設けられた装着部（図示せず）に対して着脱自在に取り付けることにより、メモリカード１１との間でデータを授受し得るようになされている。
【００１４】
ここでディスクカムコーダ１は、メモリカード１１に対しては、光ディスク１０に記録する本線映像データを除く、その他種々のデータ（後述する）を主に記憶させるようになされており、光ディスク１０の記録対象とメモリカード１１の記憶対象を使い分けるようになされている。
【００１５】
（２）ディスクカムコーダの回路構成
図２に示すようにディスクカムコーダ１は、ＣＰＵ４０が全体を統括制御するようになされており、ＣＣＤカメラ２によって撮影された被写体像を電気信号としてビデオプロセッサ２１へ送出する。
【００１６】
ビデオプロセッサ２１は、被写体像の電気信号をアナログディジタル変換し、その結果得られる素材データＤ１をハイレゾリューションエンコーダ２２及びローレゾリューションエンコーダ２３へ送出する。
【００１７】
ハイレゾリューションエンコーダ２２は、素材データＤ１に対してＭＰＥＧ(Moving Picture Experts Group)２規格に準拠したＭＰＥＧ−ＩＭＸ方式により３０Ｍｂｐｓ、４０Ｍｂｐｓ又は５０Ｍｂｐｓのいずれかに圧縮符号化し、その結果得られる高解像度符号化データ（以下、これを本線映像データと呼ぶ）Ｄ２を、メモリ２４を介して第１のファイルマネージャ２６へ送出する。
【００１８】
一方、ローレゾリューションエンコーダ２３は、ハイレゾリューションエンコーダ２２に比べて低解像度のＭＰＥＧ４規格に準拠した圧縮符号化方式により圧縮符号化し、その結果得られる低解像度符号化データ（以下、これをプロキシー画像データと呼ぶ）Ｄ３を、メモリ２５を介して第１のファイルマネージャ２６及び第２のファイルマネージャ３０へ送出する。
【００１９】
マイクロホン３は、集音した音声信号をオーディオプロセッサ３２へ送出する。オーディオプロセッサ３２は、音声信号をサンプリング周波数４８ＫＨｚ、分解能１６ビット又は２４ビットのオーディオデータＤ１０にアナログディジタル変換し、これをオーディオ圧縮回路３４へ送出する。
【００２０】
オーディオ圧縮回路３４は、オーディオデータＤ１０をＡｌａｗと呼ばれるオーディオ圧縮のインターネット規格によって８ビットに圧縮符号化し、その結果得られる圧縮オーディオデータＤ１１を、メモリ３５を介して第１のファイルマネージャ２６及び第２のファイルマネージャ３０へ送出する。またオーディオ圧縮回路３４は、オーディオデータＤ１０を非圧縮のまま第１のファイルマネージャ２６及び第２のファイルマネージャ３０へ送出する。
【００２１】
ところでユーザインタフェース２８は、ビデオプロセッサ２１における素材データＤ１に対しホワイトバランスＷＢやゲインＧ等の画像調整等を行うことが可能であり、そのような画像調整等を行った場合には、ホワイトバランスＷＢやゲインＧに変化があった旨をメタデータ生成部２９へ通知するようになされている。
【００２２】
またビデオプロセッサ２１は、素材データＤ１の輝度レベルＹに変化があったときは、その旨をメタデータ生成部２９へ通知し、オーディオプロセッサ３２は、オーディオデータＤ１０のレベルが所定値を超えた場合にレベルオーバーした旨をメタデータ生成部２９へ通知するようになされている。
【００２３】
またＣＰＵ４０は、ユーザ入力に応じた撮影日時、撮影条件、撮影機器に関する情報、その他の設定情報及びＵＭＩＤ(Unique Material IDentifier)を取り込み、これらをメタデータ生成部２９へ送出する。
【００２４】
ここでＵＭＩＤとは、ＳＭＰＴＥ(Society Of Motion Picture and Television Engineers)３３０Ｍとして国際標準化されたＡＶ(Audio Visual)素材等をグローバルユニークに特定するための識別子であり、高解像度の本線映像データＤ２を光ディスク１０上で指定するために用いられる。
【００２５】
すなわち撮影者は、ＵＭＩＤを用いることにより本線映像データＤ２をその管理場所（ディレクトリ）に拘らず識別することができるので、本線映像データＤ２が管理されているディレクトリとＵＭＩＤとの対応関係を管理すれば、目的とする本線映像データＤ２をそのディレクトリに拘らず指定することが可能となる。
【００２６】
メタデータ生成部２９は、ホワイトバランスＷＢ、ゲインＧ及び輝度レベルＹに変化があった旨、オーディオデータＤ１０がレベルオーバーした旨、撮影日時、撮影条件、撮影機器に関する情報、その他の設定情報及びＵＭＩＤ等を集め、これらを映像素材毎のメタデータＭＤ１として生成し、メモリ３９を介して第１のファイルマネージャ２６及び第２のファイルマネージャ３０へ送出する。
【００２７】
第１のファイルマネージャ２６は、ＵＤＦ(Universal Disk Format)と呼ばれるファイルシステムを用いており、メモリ２４を介して供給された本線映像データＤ２をファイル化してディレクトリ構造によりその並び順を管理するようになされており、ディスクドライブ２７により当該本線映像データＤ２をＵＤＦに基づく並び順で光ディスク１０に書き込むようになされている。
【００２８】
また第１のファイルマネージャ２６は、同様にメモリ２５を介して供給されたプロキシー画像データＤ３についても、ディスクドライブ２７を介してＵＤＦに基づく並び順で光ディスク１０に書き込み、メモリ３３及び３５を介して供給されたオーディオデータＤ１０及び圧縮オーディオデータＤ１１についてもディスクドライブ２７を介してＵＤＦに基づく並び順で光ディスク１０に書き込むようになされている。
【００２９】
さらに第１のファイルマネージャ２６は、メモリ３９を介して供給されたメタデータＭＤ１についてもＵＤＦに基づいてファイル化し、ディスクドライブ２７を介して光ディスク１０に書き込むようになされている。
【００３０】
一方、第２のファイルマネージャ３０は、メモリカード１１に記憶させるデータをパーソナルコンピュータによって扱うことができるように、ＭＳ−ＤＯＳ(Micro Soft-Disk Operating System)／Ｗｉｎｄｏｗｓ（登録商標）に採用されているＦＡＴ(File Allocation Table) と呼ばれるファイルシステムを用いており、これによりメモリカード１１を当該ディスクカムコーダ１と汎用パーソナルコンピュータとの間で互換性を持たせるようになされている。
【００３１】
すなわち第２のファイルマネージャ３０は、本線映像データＤ２を除く、その他全てのプロキシー画像データＤ３、オーディオデータＤ１０、圧縮オーディオデータＤ１１、メタデータＭＤ１の供給を受け、これらをＦＡＴに基づきメモリインタフェース３１を介してメモリカード１１に記憶させるようになされている。
【００３２】
ところで撮影者用マイクロホン３６は、いわゆるボイスメモのために用いられるマイクロホンであり、撮影者が撮影時のタイミングで必要に応じて発する音声を素材データＤ１のオーディオデータＤ１０とは別に集音し、オーディオプロセッサ３７へ送出する。
【００３３】
オーディオプロセッサ３７は、当該音声をアナログディジタル変換することによりボイスメモデータＤ１２を生成し、これをメモリ３８を介して第２のファイルマネージャ３０へ送出するようになされている。
【００３４】
従って第２のファイルマネージャ３０は、ボイスメモデータＤ１２についてもＦＡＴに基づきメモリインタフェース３１を介してメモリカード１１に記憶させるようになされている。因みにボイスデータＤ１２についても、ＵＭＩＤを用いて本線映像データＤ２に対応付けられるようになされている。
【００３５】
このようにディスクカムコーダ１においては、図３に示すように、素材データＤ１に基づく高解像度の本線映像データＤ２を含む全てのデータを着脱自在な光ディスク１０に記録させる一方、高解像度の本線映像データＤ２を除く残り全てのデータを着脱自在なメモリカード１１に記憶させるようになされている。
【００３６】
（３）マウント制御処理手順
次に、ディスクカムコーダ１のカメラ本体４に装着されたメモリカード１１に対するマウント制御処理手順について図４のフローチャートを用いて説明する。
【００３７】
ディスクカムコーダ１のＣＰＵ４０は、ルーチンＲＴ１の開始ステップから入ってステップＳＰ１へ移り、最初にカムコーダ用アダプタ１３を介してカメラ本体４に対しメモリカード１１が装着されたか否かをメモリカードインタフェース３１（図２）からの検出信号に基づいて判定する。
【００３８】
ここで否定結果が得られると、このことはカメラ本体４にメモリカード１１が装着されていないことを表しており、このときＣＰＵ４０はメモリカード１１が装着されるまで待ち受けるのに対し、肯定結果が得られると、ＣＰＵ４０は次のステップＳＰ２へ移る。
【００３９】
ステップＳＰ２においてＣＰＵ４０は、メモリカード１１がカメラ本体４に装着されているので、このメモリカード１１の存在を認識した上でデータ記憶媒体として用いることができるようにファイルシステムとしてマウント処理を実行し、次のステップＳＰ３へ移る。
【００４０】
ここでマウントとは、ＣＰＵ４０がメモリカード１１を記憶資源として利用可能にするためにディレクトリのツリー構造の中に組み込むための作業である。因みに、アンマウントとは、ディレクトリのツリー構造の中から開放し、内部のデータを破壊することなくメモリカード１１を取り外し可能な状態にすることである。
【００４１】
ステップＳＰ３においてＣＰＵ４０は、メモリカード１１に格納されているデータ内容として主要なメタデータＭＤ１や当該メモリカード１１の記憶残容量等の各種情報を読み取り、内部のＲＡＭ(Random Access Memory)にコピーし、次のステップＳＰ４へ移る。
【００４２】
ステップＳＰ４においてＣＰＵ４０は、ステップＳＰ３でメモリカード１１の内容を全てコピーしたので、当該メモリカード１１のアンマウント処理を実行し、次のステップＳＰ５へ移る。
【００４３】
すなわちＣＰＵ４０は、メモリカード１１の装着状態を確認すると、直ちにマウント処理を実行して当該メモリカード１１から必要な内容を全てコピーするが、それが終了すると、不用意にメモリカード１１がカメラ本体４から間違って取り外された場合でも当該メモリカード１１のデータが破壊されることがないようにアンマウント処理を行う。
【００４４】
ステップＳＰ５においてＣＰＵ４０は、ユーザの操作によってＣＣＤカメラ２による撮影開始に伴って高解像度の本線映像データＤ２の光ディスク１０に対する記録動作を開始したか否かを判定し、肯定結果が得られたときのみステップＳＰ６へ移る。
【００４５】
因みにＣＰＵ４０は、光ディスク１０に対する記録動作を開始したときには、カメラ本体４の所定位置に設けられたＬＥＤ(Light Emitting Diode)を介してランプ表示することにより記録中であることをユーザに伝えるようになされている。
【００４６】
ステップＳＰ６においてＣＰＵ４０は、素材データＤ１に基づく高解像度の本線映像データＤ２を光ディスク１０へ記録開始したので、メモリカード１１へ低解像度のプロキシー画像データＤ３やメタデータＭＤ１等を記憶させるために当該メモリカード１１をファイルシステムとして再度マウント処理を実行し、次のステップＳＰ７へ移る。
【００４７】
ステップＳＰ７においてＣＰＵ４０は、マウント処理後のメモリカード１１に対してプロキシー画像データＤ３やメタデータＭＤ１等を記憶させ、次のステップＳＰ８へ移る。ところでＣＰＵ４０は、実際上、本線映像データＤ２の光ディスク１０に対する記録開始後に、その記録開始をトリガーとしてマウント処理を実行しているため、マウント開始前にメモリカード１１に対する記憶処理が必要になる場合が起こり得る。
【００４８】
そのような場合を考慮してＣＰＵ４０は、メモリカード１１に記憶させる予定のプロキシー画像データＤ３についてはメモリ２５を介して一旦蓄積し、メタデータＭＤ１についてはメモリ３９を介して一旦蓄積し、オーディオデータＤ１０及び圧縮オーディオデータＤ１１についてはメモリ３３及びメモリ３５を介して一旦蓄積し、ボイスメモデータＤ１２についてはメモリ３８を介して一旦蓄積してから、第２のファイルマネージャ３０によりメモリインタフェース３１を介してメモリカード１１へ高速転送することにより、あたかもマウント処理開始後からメモリカード１１に対する書き込みを行っているかのように振舞う。
【００４９】
ステップＳＰ８においてＣＰＵ４０は、光ディスク１０に対する本線映像データＤ２の記録が終了したか否かを判定し、否定結果が得られたときは再度ステップＳＰ７へ戻ってメモリカード１１に対する書き込み動作を継続し、肯定結果が得られたときは次のステップＳＰ９へ移る。
【００５０】
ステップＳＰ９においてＣＰＵ４０は、光ディスク１０に対する本線映像データＤ２の記録動作が終了したということは、メモリカード１１に対して書き込むべきデータが存在しないことを表しているので、当該メモリカード１１のファイルをクローズし、アンマウント処理を実行した後、次のステップＳＰ１０へ移って処理を終了する。
【００５１】
（４）動作及び効果
以上の構成において、ディスクカムコーダ１は、素材データＤ１に基づく高解像度の本線映像データＤ２を含む全てのデータを着脱自在な光ディスク１０に伝送用又は保存用のために記録させる一方、本線映像データＤ２を除く残り全てのデータを着脱自在なメモリカード１１に即時利用のために記憶させるといった使い分けを行う。
【００５２】
これによりディスクカムコーダ１では、光ディスク１０に対する記録動作の終了後に直ちに編集作業を行いたいという要望については、図５に示すように、メモリカード１１をカメラ本体４から取り外し、そのメモリカード１１を撮影現場のノートブック型パーソナルコンピュータ５０（以下、これをノートパソコンと呼ぶ）に直接読み込ませることにより、その場でメモリカード１１に記憶されたプロキシー画像データＤ３やメタデータＭＤ１を用いて編集作業を実行させることができる。
【００５３】
このときディスクカムコーダ１では、着脱自在なメモリカード１１に記憶されたデータ内容をノートパソコン５０に直接読み込ませるようにしたことにより、有線又は無線によりメモリカード１１の内容をデータ伝送する場合に生じる伝送エラーを予め回避して、正確にデータ伝送し、かつ確実に編集作業を実行させることができる。
【００５４】
このようにディスクカムコーダ１は、メモリカード１１のプロキシー画像データＤ３をノートパソコン５０に読み取らせてオフライン編集処理を実行させることができるので、本線映像データＤ２のような大容量のデータを直接扱わせることがなく、そのため本線映像データＤ２を編集作業中に破壊させてしまうというリスクを負わせることもない。
【００５５】
同時にディスクカムコーダ１では、メモリカード１１の再生動作から開放され、光ディスク１０を交換しさえすれば、新たな光ディスク１０に対して高解像度の本線映像データＤ２を直ちに記録することができるので、貴重な撮影機会を逃したり、当該ディスクカムコーダ１自体を撮影に使用できないという無駄な時間を浪費したり、当該ディスクカムコーダ１の撮影機能を有効活用できないという不都合を全て解消し、使用効率を格段に向上させることができる。
【００５６】
このことは、貴重な撮影機会を逃したくないユーザにディスクカムコーダ１を複数台購入させるという負担をなくし、ユーザのコストダウンに対して多分に貢献することができる。
【００５７】
ところでディスクカムコーダ１は、メモリカード１１の操作性を考慮してユーザの抜き差し動作だけで容易に取り付けたり、取り外したりすることができるようになされているため、メモリカード１１にデータ書き込み中に間違って取り外されてしまうリスクが無い訳ではない。
【００５８】
そこでディスクカムコーダ１では、メモリカード１１が装着されている間であって、最初にメモリカード１１から主要なメタデータＭＤ１や記憶残容量等の必要な各種情報をコピーするために必要な期間や、プロキシー画像データＤ３やメタデータＭＤ１の書き込みに必要な必要最小限の期間だけ、メモリカード１１をファイルシステムとしてマウントさせておくようにする。
【００５９】
これによりディスクカムコーダ１は、メモリカード１１が装着されてから常時マウントさせておくのではなく、メモリカード１１に対する読み出しや書き込みを行う必要のない期間についてはアンマウントさせておくことができるので、そのような間にメモリカード１１がユーザにより不用意に取り外された場合であっても、そのメモリカード１１に格納されたデータを破壊されずに済む。
【００６０】
逆に言えば、ディスクカムコーダ１はメモリカード１１を装着したときにユーザが当該メモリカード１１をすぐ取り外すことは考え難く、実際に本線映像データＤ２の光ディスク１０に対する記録中すなわち撮影中にメモリカード１１を取り外すことも考え難く、これらのタイミング以外のときにメモリカード１１が不用意に取り外される可能性が高いといえ、そのような期間にアンマウントさせておくことができるので、メモリカード１１のデータが破壊される可能性を一段と低減することができる。
【００６１】
以上の構成によれば、ディスクカムコーダ１は本線映像データＤ２を含む全てのデータを着脱自在な光ディスク１０に伝送用又は保存用のために記録させる一方、本線映像データＤ２を除く残り全てのデータを着脱自在なメモリカード１１に即時利用のために記憶させることにより、光ディスク１０をカメラ本体４から取り外して放送局へ直接搬送し、次の新しい光ディスク１０を用いて直ちに次の撮影に入りたいという要請に応えることができると共に、プロキシー画像データＤ３やメタデータＭＤ１を用いた編集作業を撮影現場で直ちに行いたいという要請に応えることができる。
【００６２】
またディスクカムコーダ１は、メモリカード１１が装着されている間であって、当該メモリカード１１に対して所定の処理を実行する必要最小限の期間だけ、メモリカード１１をファイルシステムとしてマウントさせておき、それ以外の期間についてはアンマウントさせておくことにより、ユーザによって不用意にメモリカード１１がカメラ本体４から取り外された場合でも当該メモリカード１１のデータ内容が破壊されるリスクを格段に低減することができる。
【００６３】
（５）他の実施の形態
なお上述の実施の形態においては、光ディスク１０に本線映像データＤ２を含む全てのデータを記録し、メモリカード１１に本線映像データＤ２を除くその他全てのデータを記憶させるようにした場合について述べたが、本発明はこれに限らず、メモリカード１１に本線映像データＤ２やオーディオデータＤ１０を所定時間だけ確認用に記憶させるようにしても良い。これによりメモリカード１１を用いて編集作業を行う場合に、本線映像データＤ２に基づいて実際の画質や音声を確認することができる。
【００６４】
また上述の実施の形態においては、ＭＰＥＧ２規格に準拠した圧縮符号化方式で符号化した高解像度の本線映像データＤ２を光ディスク１０に記録させ、ＭＰＥＧ４規格に準拠した圧縮符号化方式で符号化した低解像度のプロキシー画像データＤ３をメモリカード１１に記憶させるようにした場合について述べたが、本発明はこれに限らず、ＨＤ(High Definition)の本線映像データを光ディスク１０に記録させ、ＳＤ(Standard Definition)のプロキシー画像データをメモリカード１１に記憶させる等、伝送用及び保存用のための光ディスク１０には高解像度の本線映像データを記録させ、即時利用のためのメモリカード１１には低解像度のプロキシー画像データを記憶させるようにしても良い。
【００６５】
さらに上述の実施の形態においては、データ記憶媒体としてメモリカード１１を用いるようにした場合について述べたが、本発明はこれに限らず、ＰＣカードスロットにそのまま装着できる記憶装置としてマイクロドライブ１４やコンパクトフラッシュ（登録商標）、スマートメディア（登録商標）等のその他種々のデータ記憶媒体を用いるようにしても良い。この場合もカムコーダ用アダプタ１３を介してカメラ本体４の所定位置に着脱自在に装着することができる。
【００６６】
さらに上述の実施の形態においては、ディスクカムコーダ１がプロキシー画像データＤ３やメタデータＭＤ１等をメモリカード１１に記憶させるようにした場合について述べたが、本発明はこれに限らず、図６に示すように複数のコンテンツNo.１〜No.３の中から必要な箇所だけがＩＮ１〜ＯＵＴ１、ＩＮ２〜ＯＵＴ２及びＩＮ３〜ＯＵＴ３のようにタイムコードによって指定されたエディットリストＥＬＴをメタデータとしてメモリカード１１から読み出し、当該エディットリストＥＬＴに応じた編集結果を光ディスク１０から読み出して出力したり、当該編集結果を再度光ディスク１０に記録するようにしても良い。
【００６７】
さらに上述の実施の形態においては、制御手段としてのＣＰＵ４０がメモリカード１１の装着されたときと、光ディスク１０に対する本線映像データＤ２の書き込みを行うときに、当該メモリカード１１をファイルシステムとしてマウント処理し、それ以外のときにはアンマウント処理するようにした場合について述べたが、本発明はこれに限らず、ボイスメモデータＤ１２をメモリカード１１に書き込むときにも、それをトリガーとして当該メモリカード１１をマウント処理するようにしても良い。この場合も、ディスクカムコーダ１はメモリ３８にボイスメモデータＤ１２を記憶させておき、マウント処理の実行後にメモリ３８からボイスメモデータＤ１２をメモリカード１１へ転送するようにすれば良い。
【産業上の利用可能性】
【００６８】
本発明のビデオカメラ及びマウント制御方法は、例えば放送局用のカムコーダに限らず、民生用のビデオカメラにも適用することができる。
【図面の簡単な説明】
【００６９】
【図１】ディスクカムコーダの全体構成を示す略線図である。
【図２】ディスクカムコーダの回路構成を示す略線的ブロック図である。
【図３】光ディスクとメモリカードの使い分けの説明に供する略線図である。
【図４】マウント制御処理手順の説明に供するフローチャートである。
【図５】活用例を示す略線図である。
【図６】エディットリストの説明に供する略線図である。
【符号の説明】
【００７０】
１……ディスクカムコーダ、２……ＣＣＤカメラ、３……マイクロホン、４……カメラ本体、５……バッテリ、１０……光ディスク、１１……メモリカード、２１……ビデオプロセッサ、２２……ハイレゾリューションエンコーダ、２３……ローレゾリューションエンコーダ、２４、２５、３３、３５、３８、３９……メモリ、２６……第１のファイルマネージャ、２７……ディスクドライブ、２８……ユーザインタフェース、２９……メタデータ生成部、３０……第２のファイルマネージャ、３１……メモリインタフェース、３２、３７……オーディオプロセッサ、３４……オーディオ圧縮回路、４０……ＣＰＵ、５０……ノートパソコン。
【図１】
2006303633.tif 000003
【図２】
2006303633.tif 000004
【図３】
2006303633.tif 000005
【図４】
2006303633.tif 000006
【図５】
2006303633.tif 000007
【図６】
2006303633.tif 000008